【事件の表示】
　特許第６２３９５１６号発明「機械読取情報を有する缶エンド」の特許異議申立事件について、次のとおり決定する。
【結　論】
　特許第６２３９５１６号の特許請求の範囲を訂正請求書に添付された訂正特許請求の範囲のとおり、訂正後の請求項〔２６−３０、３２−３４〕、３１について訂正することを認める。
　特許第６２３９５１６号の請求項２６ないし３０、３２ないし３４に係る特許を取り消す。
　同請求項３１に係る特許を維持する。
【理　由】
第１　手続の経緯
　特許第６２３９５１６号の請求項１〜３４に係る特許についての出願は、平成２４年９月２７日（パリ条約による優先権主張外国庁受理　２０１１年９月２７日　米国）を国際出願日とする出願であって、平成２９年１１月１０日付けでその特許権の設定登録がされ、同月２９日に特許掲載公報が発行され、その後、平成３０年４月１０日に異議申立人伊澤武登（以下「申立人」という。）により請求項２６〜３４に係る特許に対して特許異議の申立てがされ、同年９月１２日付けで取消理由が通知され、同年１２月１８日に特許権者から意見書の提出及び訂正の請求がされ、平成３１年２月５日に申立人から意見書が提出され、同月１２日に手続方式指令書（方式）が申立人に通知され、同月２７日に意見書を補正する手続補正書（方式）が提出された。
　その後、平成３１年３月２７日付で取消理由通知（決定の予告）がされ、令和元年７月１日に特許権者から意見書の提出及び訂正の請求がされ（この訂正の請求による訂正の内容を以下「本件訂正」という。また、前記平成３０年１２月１８日提出の訂正の請求は、特許法第１２０条の２第７項の規定により取り下げられたものとみなす。）、同年８月８日に申立人から意見書が提出されたものである。
第２　本件訂正について
　１　訂正の内容（当審注：訂正箇所に下線を付した。）
（１）訂正事項１
　登録時の請求項２６における「前記プルタブは、カールされた縁部を含む外周を構成し、前記プルタブは、前記未開封の形態において前記缶エンドシェルの中央パネルに略平行の向きであり、」を「前記プルタブは、カールされた縁部を含む外周を構成し、
前記プルタブは、金属シートよりなるプレス成形品であり、
（２）訂正事項２
　登録時の請求項２６における「前記タブの下面に配置され」を「前記タブの
構造本体の
（３）訂正事項３
　登録時の請求項２６における「６ｍｍ×６ｍｍのサイズの二次元コード」を「
５
５
（４）訂正事項４
　登録時の請求項２９の「前記コードのサイズは、少なくとも４ｍｍ×４ｍｍであり、さらに５ｍｍ×５ｍｍ以下であ
る
（５）訂正事項５
　登録時の請求項３１に「前記コードは、前記タブの構造本体に配置される、請求項２６に記載の缶エンド。」と記載されているのを、「（
ｉ）缶エンドが密封された未開封の形態と、（ｉｉ）缶エンドを缶体に付加した後に前記缶の中味にアクセスできる開封した形態と、を有することができる缶エンドであって、前記缶エンドは、
　缶エンドシェル及びプルタブであって、前記プルタブは、カールされた縁部を含む外周を構成し、前記プルタブは、前記未開封の状態において下面が下方に向かって突出し、かつ、上面が下方に向かって凹むように突出する突部を含む、金属シートからなるプレス成形品であり、前記プルタブは、前記未開封の形態において前記缶エンドシェルの中央パネルに略平行の向きであり、前記プルタブは、前記プルタブの端部を持ち上げて前記中央パネルの切込み線を破断することによって部分的に垂直な位置に操作することができ、それにより前記開封した形態を達成する、プルタブと、
　前記タブの構造本体
の下面において前記突部上に
、缶エンドが開封した形態にあるときに手持ち型無線通信デバイスで読み取ることができ、５ｍｍ×５ｍｍ以下のサイズの二次元コードと、を備える、
　
ことを特徴とする
（６）訂正事項６
　登録時の請求項３２の「前記中欧パネル」を「前記中
央
　２　訂正要件についての検討
（１）訂正事項１について
　ア　訂正の目的
　訂正事項１は、プルタブが、金属シートからなるプレス成形品である点を限定するものである。したがって、訂正事項１は、特許法第１２０条の５第２項ただし書第１号に規定する特許請求の範囲の減縮を目的とするものといえる。
　イ　実質上の拡張・変更の有無
　前記アの理由から、訂正事項１は、プルタブが、金属シートからなるプレス成形品である点を限定したものであり、カテゴリーや対象を変更するものではないから、実質上特許請求の範囲を拡張し、又は変更する訂正には該当しない。したがって、訂正事項１は、特許法第１２０条の５第９項の規定により準用する特許法第１２６条第６項の規定に適合する。
　ウ　新規事項の追加の有無
（ア）願書に添付した明細書の段落【００４３】には、「図６に示すように、レーザーマーキングプロセスは、タブプレスに入る前のタブストックコイルに行うことができる。レーザーマーキングによって生成されたイメージに対してタブを正確に形成するために、公知の方法を使用してマーク付けされたコイルを位置合わせすることができる。従って、図６のタブプレスの生産物はマーク付きタブとなる。本明細書で用いる場合、用語「コイル」はコイル状に巻かれた金属ストックを呼び、ロールから切断された平らな金属シートを包含する。」と記載されており、金属シートをプレス成形する手段を含む成形手段により、本件発明に係るタブが成形されることが読み取れるから、訂正事項１は、願書に添付した明細書、特許請求の範囲、図面の範囲内においてされたものといえる。したがって、訂正事項１は、特許法第１２０条の５第９項の規定により準用する特許法第１２６条第５項の規定に適合する。
（イ）令和元年８月８日提出の意見書における申立人の主張に対して
　ａ　申立人は、前記意見書において、金属シートとの特定を追加する訂正は、コイルから得られる金属シート以外を含み得るから新規事項を追加するものであると主張する。
　ｂ　しかしながら、金属シートがコイルを巻きだした金属シートであるか否かは、金属シートとしての性質に相違が生ずるともいえないし、また、本件特許の願書に添付された明細書の段落【００４３】には、「用語「コイル」はコイル状に巻かれた金属ストックを呼び、ロールから切断された平らな金属シートを包含する。」と記載されている。
　ｃ　したがって、申立人の主張は採用できない。
（２）訂正事項２について
　ア　訂正の目的
　訂正事項２は、タブの下面における二次元コードが配置される部位が特定されていなかったものを、タブの「構造本体」の下面に配置される点を限定するものであるから、訂正事項２は、特許法第１２０条の５第２項ただし書第１号に規定する特許請求の範囲の減縮を目的とするものといえる。
　イ　実質上の拡張・変更の有無
　前記アの訂正の目的から、訂正事項２は、タブの下面における二次元コードが配置される部位を限定するものであり、カテゴリーや対象、目的を変更するものではないから、実質上特許請求の範囲を拡張し、又は変更する訂正には該当しない。したがって、訂正事項２は、特許法第１２０条の５第９項の規定により準用する特許法第１２６条第６項の規定に適合する。
　ウ　新規事項の追加の有無
　登録時の請求項２６を引用する訂正前の請求項３１には、「前記コードは、前記タブの構造本体に配置される」と記載されており、訂正事項１は、願書に添付した明細書、特許請求の範囲、図面の範囲内においてされたものといえる。したがって、訂正事項１は、特許法第１２０条の５第９項の規定により準用する特許法第１２６条第５項の規定に適合する。
（３）訂正事項３について
　ア　訂正の目的について
　訂正事項３は、二次元コードのサイズを「６ｍｍ×６ｍｍ以下」から「５ｍｍ×５ｍｍ以下」に限定するものである。訂正事項３は、特許法第１２０条の５第２項ただし書第１号に規定する特許請求の範囲の減縮を目的とするものといえる。
　イ　実質上の拡張・変更の有無
　上記アの訂正の目的から、訂正事項３は、二次元コードのサイズを上記アのように、限定するものであり、カテゴリーや対象、目的を変更するものではないから、実質上特許請求の範囲を拡張し、又は変更する訂正には該当しない。したがって、訂正事項３は、特許法第１２０条の５第９項の規定により準用する特許法第１２６条第６項の規定に適合する。
　ウ　新規事項の追加の有無
　登録時の請求項２６を引用する登録時の請求項２９には、「前記コードのサイズは、少なくとも４ｍｍ×４ｍｍであり、さらに５ｍｍ×５ｍｍ以下である」と記載されており、訂正事項３は、願書に添付した明細書、特許請求の範囲、図面の範囲内においてされたものといえる。したがって、訂正事項３は、特許法第１２０条の５第９項の規定により準用する特許法第１２６条第５項の規定に適合する。
（４）訂正事項４について
　ア　訂正の目的について
　前記１（３）に摘記した訂正事項３において、請求項２９が引用する請求項２６について、二次元コードのサイズを「６ｍｍ×６ｍｍ以下」から「５ｍｍ×５ｍｍ以下」に限定することに伴い、重複する限定事項を削除したものであり、訂正事項４は、特許法第１２０条の５第２項ただし書第３号に規定する明瞭でない記載の釈明を目的とするものである。
　イ　実質上の拡張・変更の有無
　上記アの理由から、訂正事項４は訂正事項３により重複することとなった限定事項を削除したものであるから、実質上特許請求の範囲を拡張し、又は変更する訂正には該当しない。したがって、訂正事項４は、特許法第１２０条の５第９項の規定により準用する特許法第１２６条第６項の規定に適合する。
　ウ　新規事項の追加の有無
　上記アの理由から、訂正事項４は、訂正事項３により重複することとなった限定事項を削除したものであって、新たな特定事項を追加する訂正ではないから、願書に添付した明細書、特許請求の範囲、図面の範囲内においてされたものといえる。したがって、訂正事項４は、特許法第１２０条の５第９項の規定により準用する特許法第１２６条第５項の規定に適合する。
（５）訂正事項５について
　ア　訂正の内容の詳細
　訂正事項５の詳細は次の（ア）〜（エ）のとおりである。
（ア）訂正事項５−１
　訂正前の請求項３１の記載が訂正前の請求項２６の記載を引用する記載であったものを、請求項間の引用関係を解消し、請求項２６の記載を引用しないものとした。
（イ）訂正事項５−２
　プルタブが、未開封の形態において下面が下に向かって突出し、かつ上面が下方に右上に向かって凹むように突出する突部を含む、金属シートからなるプレス成形品であることを特定した。
（ウ）訂正事項５−３
　訂正前の請求項３１に特定のなかった、二次元コードが前記プルタブの下面側に突出する突部に設けられることを限定した。
（エ）訂正事項５−４
　二次元コードのサイズを「６ｍｍ×６ｍｍ以下」から「５ｍｍ×５ｍｍ以下」に限定した。
　イ　訂正の目的について
（ア）訂正事項５−１
　訂正事項５−１の訂正は、請求項間の引用関係を解消し、請求項２６の記載を引用しないものとし、独立形式請求項へ改めるための訂正であって、特許法１２０条の５第２項ただし書第４号に規定する「他の請求項の記載を引用する請求項の記載を当該他の請求項の記載を引用しないものとすること」を目的とする訂正である。
（イ）訂正事項５−２
　訂正事項５−２の訂正は、プルタブが、未開封の形態において下面が下に向かって突出し、かつ上面が下方に右上に向かって凹むように突出する突部を含む、金属シートからなるプレス成形品である点を限定したものであるから、特許法第１２０条の５第２項ただし書第１号に規定する特許請求の範囲の減縮を目的とするものといえる。
（ウ）訂正事項５−３
　訂正事項５−３の訂正は、二次元コードが前記プルタブの下面側に突出する突部に設けられることを限定したものであるから、特許法第１２０条の５第２項ただし書第１号に規定する特許請求の範囲の減縮を目的とするものといえる。
（エ）訂正事項５−４
　訂正事項５−４の訂正は、二次元コードのサイズを「６ｍｍ×６ｍｍ以下」から「５ｍｍ×５ｍｍ以下」に限定するものであるから、特許法第１２０条の５第２項ただし書第１号に規定する特許請求の範囲の減縮を目的とするものといえる。
（オ）前記（ア）〜（エ）より、訂正事項５は、特許法第１２０条の５第２項ただし書第１号に規定する特許請求の範囲の減縮及び同条同項ただし書第４号に規定する「他の請求項の記載を引用する請求項の記載を当該他の請求項の記載を引用しないものとすること」を目的とする訂正である。
　ウ　実質上の拡張・変更の有無
（ア）訂正事項５−１
　訂正事項５−１の訂正は、独立形式請求項へ改めるための訂正であるから、特許請求の範囲の実質的な変更を伴うものでない。
（イ）訂正事項５−２
　訂正事項５−２の訂正は、プルタブが、未開封の形態において下面が下に向かって突出し、かつ上面が下方に右上に向かって凹むように突出する突部を含む、金属シートからなるプレス成形品である点を限定したものであるから、実質上特許請求の範囲を拡張し、又は変更するものということはできない。
（ウ）訂正事項５−３
　訂正事項５−３の訂正は、二次元コードが前記プルタブの下面側に突出する突部に設けられることを限定したものであるから、実質上特許請求の範囲を拡張し、又は変更するものということはできない。
（エ）訂正事項５−４
　訂正事項５−４の訂正は、二次元コードのサイズを「６ｍｍ×６ｍｍ以下」から「５ｍｍ×５ｍｍ以下」に限定するものであるから、実質上特許請求の範囲を拡張し、又は変更するものということはできない。
（オ）前記（ア）〜（エ）において検討したように、訂正事項５は、実質上特許請求の範囲を拡張し、又は変更するものということはできず、特許法第１２０条の５第９項の規定により準用する特許法第１２６条第６項の規定に適合する。
　エ　新規事項の追加の有無
（ア）訂正事項５−１
　訂正事項５−１の訂正は、独立形式請求項へ改めるための訂正であるから、特許請求の範囲の実質的な変更を伴うものでなく、新規事項を追加する訂正ではない。特許法第１２０条の５第９項の規定により準用する特許法第１２６条第５項の規定に適合する。
（イ）訂正事項５−２
　ａ　訂正事項５−２の訂正は、プルタブが、未開封の形態において下面が下に向かって突出し、かつ上面が下方に右上に向かって凹むように突出する突部を含む、金属シートからなるプレス成形品である点を限定したものである。
　ｂ　願書に添付した明細書の段落【００４３】には、「図６に示すように、レーザーマーキングプロセスは、タブプレスに入る前のタブストックコイルに行うことができる。レーザーマーキングによって生成されたイメージに対してタブを正確に形成するために、公知の方法を使用してマーク付けされたコイルを位置合わせすることができる。従って、図６のタブプレスの生産物はマーク付きタブとなる。本明細書で用いる場合、用語「コイル」はコイル状に巻かれた金属ストックを呼び、ロールから切断された平らな金属シートを包含する。」と記載されており、金属シートをプレス成形するというを含む成形手段を含む成型手段により、本件発明に係るタブが成形されることが読み取れる。
　ｃ　本件明細書の段落【００３０】において、「ＤＲＴエンド」として知られる本件図面の【図１Ｂ】及び【図１Ｃ】並びに「Ｓｔｏｌｌエンド」として知られる本件図面の【図１Ｄ】及び【図１Ｅ】を参照する。プルタブが、未開封の形態で下面となる【図１Ｅ】の手前側の面が開封後手前側に突出し、未開封の形態で上面となる【図１Ｄ】の手前側の面が【図１Ｄ】の奥側に凹むように突出する突部が掲載されている実施形態が示されているから、訂正事項５−２の訂正は、新規事項を追加するものでない。
（ウ）訂正事項５−３
　訂正事項５−３の訂正は、二次元コードが前記プルタブの下面側に突出する突部に設けられることを限定したものである。本件特許明細書及び図面において、前記（イ）で示した箇所においては、二次元コードが前記プルタブの下面側に突出する突部に設けられることが視認できる。したがって、前記ア（ウ）の訂正は、新規事項を追加するものでない。
（エ）訂正事項５−４
　訂正事項５−４の訂正は、二次元コードのサイズを「６ｍｍ×６ｍｍ以下」から「５ｍｍ×５ｍｍ以下」に限定するものである。本件特許明細書の段落【００２４】には、「機械読取コードのサイズは、少なくとも２ｍｍ×２ｍｍ又は少なくとも３ｍｍ×３ｍｍであることが好ましく、少なくとも４ｍｍ×４ｍｍであり５ｍｍ×５ｍｍ以下であることがより好ましい。機械読取コードは、１４×１４のモジュールを有するマトリクスバーコードであることが好ましい。」と記載されており、補正後の５ｍｍ×５ｍｍも記載されているから、前記ア（エ）の訂正は、新規事項を追加するものでない。
（オ）前記（ア）〜（エ）において検討したように、訂正事項５は、特許法第１２０条の５第９項の規定により準用する特許法第１２６条第５項の規定に適合する。
（６）訂正事項６について
　ア　訂正の目的について
　訂正事項６は、明らかな誤記と推認できる請求項３２の「前記中欧パネル」を「前記中央パネル」に訂正するものであり、特許法第１２０条の５第２項ただし書第２号に規定する誤記の訂正を目的とするものといえる。
　イ　実質上の拡張・変更の有無
　前記アのとおり、訂正事項６は、明らかな誤記を訂正するものであるから、訂正事項６は、実質上特許請求の範囲を拡張し、又は変更するものということはできず、特許法第１２０条の５第９項の規定により準用する特許法第１２６条第６項の規定に適合する。
　ウ　新規事項の追加の有無
（ア）特許法第１２０条の５第９項の規定により準用される特許法第１２６条第５項括弧書きの規定では、誤記または誤訳の訂正を目的とする訂正に関しては、願書に最初に添付した明細書、特許請求の範囲又は図面（外国語特許出願に係る特許においては外国語書面）に記載した事項の範囲内においてしなければならないと規定されている。
（イ）特許法第１８４条の１９の規定により、外国語特許出願の場合は、「外国語書面」を「国際出願日における国際出願の明細書、請求の範囲、図面」と読み替えることから、以下、本件特許の国際出願に関する国際公開第２０１３／０４９３１３号を参照する。
（ウ）上記国際公開の７頁の段落［００４１］には、「・・・End14 includes a center panel20 and chuckwall22.・・・」（当審訳）「・・・缶エンド１４は、中央パネル２０とチャック壁２２を含む。・・・」と記載されており、訂正事項６は、新規事項を追加するものではない。
（エ）したがって、訂正事項６は、特許法第１２０条の５第９項で準用する第１２６条第５項の規定に適合する。
（７）別の訂正単位とする求め
　特許権者は、本件訂正後の請求項３１については、当該請求項の訂正が認められる場合には、一群の請求項の他の請求項とは別途訂正することを請求した。
（８）一群の請求項について
　ア　訂正事項１〜５に係る訂正前の請求項２６〜３４について、請求項２７〜３４は、それぞれ請求項２６を引用しているものであって、訂正事項１〜２によって記載が訂正される請求項２６に連動して訂正されるものである。したがって、訂正前の請求項２６〜３４は、特許法１２０条の５第４項に規定する一群の請求項である。
　イ　ただし、上記（４）において検討したように、訂正後の請求項３１は、独立請求項になったため、訂正後の一群の請求項は、請求項〔２６−３０、３２−３４〕である。
　３　小括
　以上のとおり、本件訂正は、特許法第１２０条の５第２項ただし書第１号ないし第４号に掲げる事項を目的とするものであり、かつ、同条第４項、及び、同条第９項において準用する同法第１２６条第５項及び第６項の規定に適合するので、訂正後の請求項〔２６−３０、３２−３４〕、３１について訂正を認める。
第３　異議申立てにについて
　１　本件発明
　前記第２で検討したとおり、本件訂正は認められるから、訂正後の請求項２６〜３４に係る発明（以下「本件発明２６」〜「本件発明３４」という。）は、訂正特許請求の範囲に記載された事項により特定される以下のとおりのものである。
「【請求項２６】
　（ｉ）缶エンドが密封された未開封の形態と、（ｉｉ）缶エンドを缶体に付加した後に前記缶の中味にアクセスできる開封した形態と、を有することができる缶エンドであって、前記缶エンドは、
　缶エンドシェル及びプルタブであって、前記プルタブは、カールされた縁部を含む外周を構成し、前記プルタブは、金属シートよりなるプレス成形品であり、前記プルタブは、前記未開封の形態において前記缶エンドシェルの中央パネルに略平行の向きであり、前記プルタブは、前記プルタブの端部を持ち上げて前記中央パネルの切込み線を破断することによって部分的に垂直な位置に操作することができ、それにより前記開封した形態を達成する、プルタブと、
　前記タブの構造本体の下面に配置され、缶エンドが開封した形態にあるときに手持ち型無線通信デバイスで読み取ることができ、５ｍｍ×５ｍｍ以下のサイズの二次元コードと、を備える、
　ことを特徴とする缶エンド。
　【請求項２７】
　前記コードのサイズは、少なくとも２ｍｍ×２ｍｍである、請求項２６に記載の缶エンド。
　【請求項２８】
　前記コードのサイズは、少なくとも３ｍｍ×３ｍｍである、請求項２６に記載の缶エンド。
　【請求項２９】
　前記コードのサイズは、少なくとも４ｍｍ×４ｍｍである、請求項２６に記載の缶エンド。
　【請求項３０】
　前記コードは、１４×１４のモジュールを有するマトリクスバーコードである、請求項２６に記載の缶エンド。
　【請求項３１】
　（ｉ）缶エンドが密封された未開封の形態と、（ｉｉ）缶エンドを缶体に付加した後に前記缶の中味にアクセスできる開封した形態と、を有することができる缶エンドであって、前記缶エンドは、
　缶エンドシェル及びプルタブであって、前記プルタブは、カールされた縁部を含む外周を構成し、前記プルタブは、前記未開封の状態において下面が下方に向かって突出し、かつ上面が下方に向かって凹むように突出する突部を含む、金属シートからなるプレス成形品であり、前記プルタブは、前記未開封の形態において前記缶エンドシェルの中央パネルに略平行の向きであり、前記プルタブは、前記プルタブの端部を持ち上げて前記中央パネルの切込み線を破断することによって部分的に垂直な位置に操作することができ、それにより前記開封した形態を達成する、プルタブと、
　前記タブの構造本体の下面において前記突部上に配置され、缶エンドが開封した形態にあるときに手持ち型無線通信デバイスで読み取ることができ、５ｍｍ×５ｍｍ以下のサイズの二次元コードと、を備える、
　ことを特徴とする缶エンド。
　【請求項３２】
　前記コードは、構造本体、及び、前記中央パネルに連結されたヒンジ部分から本質的になる前記タブに配置される、請求項２６に記載の缶エンド。
　【請求項３３】
　前記タブの構造本体の下面は、覆われておらず、それによって、缶エンドが開封した形態にあるときに、前記タブの構造本体の下面に配置された二次元コートが読取可能になる、請求項２６に記載の缶エンド。
　【請求項３４】
　前記コードは、マトリクスバーコード及びＱＲコード（登録商標）のいずれか一方である、請求項２６に記載の缶エンド。」
　２　取消理由（決定の予告）の概要
（１）平成３１年３月２７日付の取消理由通知（決定の予告）の概要は以下のとおりである。なお、当該取消理由通知（決定の予告）には、特許異議申立書に記載した特許異議申立理由はすべて含まれている。
（２）本件発明２６〜本件発明３４は、本件優先日前日本国内または外国において頒布された下記の刊行物に記載された発明又は電気通信回線を通じて公衆に利用可能となった発明に基いて、本件優先日前にその発明の属する技術の分野における通常の知識を有する者が容易に発明をすることができたものであるから、特許法第２９条第１項第３号に該当し、または、特許法第２９条第２項の規定により、特許を受けることができない。
＜引用文献一覧＞
　ア　特開２０１１−１６５４６号公報（以下「引用文献１」という。）
　イ　特表２００１−５１３４７５号公報（以下「引用文献２」という。）
　ウ　特公平２−２７２２３号公報（以下「引用文献３」という。）
　エ　実公昭６３−３３８０４号公報（以下「引用文献４」という。）
　オ　実公昭６１−１９０５７号公報（以下「引用文献５」という。）
　カ　特開２００１−４４１２号公報（以下「引用文献６」という。）
　キ　特開２００４−２６８２５８号公報（以下「引用文献７」という。）
　ク　特開２００５−３１６９７７号公報（以下「引用文献８」という。）
　ケ　米国特許第４３８７８２７号明細書（以下「引用文献９」という。）
　コ　米国特許第４３６１２５１号明細書（以下「引用文献１０」という。）
　サ　米国特許第６８６８６２７号明細書（以下「引用文献１１」という。）
　３　引用文献の記載事項
（１）引用文献１には、次の記載がある。
　ア　段落【００４３】
「本発明によれば、以下のような優れた効果を発揮する。これらはいずれも従来技術では不可能であったことである。」
　イ　段落【００４４】
「図１に示すプルタブの裏に二次元コードを表示することがもたらす特長は
１）不正利用防止に有効である。
２）開缶後でなければ読み取れない。
３）飲用後に読み取る操作になるように構成ができている。
４）飲用後に読み取る様にした構成は人間の行動形式に合致している。
５）二次元コードを飲用のタイミングに合わせて隠蔽と開示を自在にできる。
６）上記のようになるように構成したら、省資源、省エネ、リサイクル性能が向上した。」
　ウ　段落【００４５】
「プルタブと印字場と二次元コードとレーザマーカと管理コードで構成され、
１）缶胴に二次元コードを隠蔽と露出を可能な構造にしたラベルを添付する場合や、缶蓋上面側に二次元コードを設置し、プルタブで隠蔽すると言う方法の場合に対して、プルタブに固定され若しくは一体成形した印字場に二次元コードを設置する、としている。
２）プルタブ下に指を入れて引起す動作を開始すれば、引き上げ角度が約１５度程度でスコア線に沿って缶蓋９に裂断が始まり、同時に「プシュー」又は「カパーッ」などの音響を発する。
３）同時に１５度前後以上引き越すと、容器は非可逆的な形状の変化を起し、それに伴って内容物が溢出する。
４）しかし、この角度では携帯端末５で二次元コード２を読み取ることは出来ない。
５）未購入者は音響まで防止することは出来ないので、店内で二次元コードだけを読み取る不正行為を確実に防止出来るようになった。
６）不正に二次元コードを読み取ろうとして、リベットを旋回の中心にしてプルタブを旋回させて読み取ろうとしても、プルタブの本来の開缶動作に必要なトルクが損なわれ開缶できない。開缶せずには二次元コードが露出することは無く、読み取ることは出来ない。これは本発明の印字場がプルタブと固定され若しくは一体成形に形成されている効果である。
７）この発明によるプルタブによって、購入者以外は二次元コードが読み取れなくなった。
８）購入者でも、開缶しなければ二次元コードを読み取れない構造になったので、購入者が確実に開缶し飲用した直後の購入者の評価をアンケート収集できるようになった。
９）印字場とプルタブは固定され若しくは一体成形されて印字場はプルタブ裏に設置されているので、印字場は購入者に１００％見えず、当然、二次元コードも１００％購入者に見えない。見えたとしても携帯端末で読み取ることは出来ない。
１０）少なくともプルタブを１００度以上引き上げないと、スムーズに読み取ることは出来ない構造とした結果、二次元コードの表示は開缶後となった。
・・・
１６）印字場とプルタブを同一素材にすることで素材の利用効率がよくなり、資源が有効に利用できるようになり、リサイクル効率が向上し製作コストの低減に有効となった。
１７）レーザマーカで印字するようにした結果、プルタブの板金素材である金属に直接印字できるようになった。
１８）板金素材で一体成形するようにしたから、レーザマーカで印字できて、同一の板金素材に、隠蔽される二次元コードと常時開示される管理コードを同時に印字できるようになった。
１９）その結果、開缶動作の後に見える（内部データ）と常時みえる（外部データ）のデータに同値性を保証することが出来るようになった。
２０）前記内部データと前記外部データ（管理コード）を同値にして使用できるから、メーカとして必要な単品管理などが行えるようになった。」
　エ　段落【００５２】以下、実施例１
（ア）段落【００５５】
「図１は、開口部が開口され、缶蓋上面と対向した位置のプルタブ裏の印字場に二次元コードが印字され、携帯端末に読み取れる角度までプルタブが引起された飲料缶の概容の斜視図である。」
（イ）段落【００５６】
「図１の符号１は印字場を、符号２は二次元コードを、符号４はプルタブ本体を、符号８はリベットを、符号９は缶蓋本体を、符号１０は缶胴をそれぞれ示している。」
（ウ）段落【００５７】
「印字場はプルタブに固定され若しくは一体成型されており、プルタブを引き起こして開缶操作を行った場合にのみ、印字場に印字された二次元コードの全体像が露出し読取り可能となる。」
（エ）段落【００５８】、【００５９】
「図２は、図１のように開缶される前の缶蓋の平面図である。
図３はプルタブを開口部の真上まで折り返した図である。プルタブと印字場が固定され若しくは一体成形されている事がわかる。携帯端末で読み取りやすい状態は本来この状態である。」
（オ）段落【００６４】
「図３はプルタブを開口部の上１８０度まで折り返した図である。プルタブと印字場が固定され若しくは一体成形されている事を示している。符号１は印字場を、符号２は二次元コードを、符号４はプルタブ本体を、符号７は開口部を、符号８はリベットを、符号１０は缶胴を、符号１１は折り曲げ線を、符号７０はシールをそれぞれ示している。」
（カ）段落【００６５】
「図４−Ａは、図５−Ａに基づいて製作した完成プルタブ表（おもて）面の平面図である。符号４はプルタブ本体を、符号８Ａはリベット穴を、符号２１は半月穴を、符号２２は舌形部を、符号２４は指穴を、符号２５は爪掛部を、符号１７は管理コード表示部をそれぞれ示している。」
（キ）段落【００６７】
「図４−Ｂは図４−Ａの裏（うら）面の平面図である。印字場境界線１２はリベットの取り付け作業に支障ない位置に印字場１があることを示す。符号１は印字場を、符号２は二次元コードを、符号４はプルタブ本体を、符号８Ａはリベット穴を、符号１２印字場境界線を、符号２６はかしめ端部を、符号７０はシールをそれぞれ示している。」
（ク）段落【００６８】
「図５−Ａは、本発明のプルタブの成形加工前の基本的な平面図である。符号２は二次元コードを、符号８Ａはリベット穴を、符号１１は折り曲げ線を、符号１３は第１成形型部を、符号１４は第２成形型部を、符号１５は輪郭帯を、符号１６は輪郭帯渡り部を、符号１７は管理コード表示部を、符号７０はシールを示している。第１成形型部と第２成形型部、印字場と印字される二次元コード、板金素材から第１成形型部と第２成形型部が切り出されても板金素材本体とは輪郭帯渡り部で接続されている、印字場の幅がプルタブより広い、管理コード表示部はどこに位置しても良いし缶蓋に取り付けたときに常時目視できることなどの関係を表している。」
（ケ）「【００７０】
図１３−１〜５はプルタブと印字場と二次元コードが固定され若しくは一体成形される工程を示す。
　【００７１】
図１３−１は板金素材上に二次元コードの印字区画を計算して、加えて塗装区画を確定させることを示す。
　【００７２】
印字区画とは二次元コードを印字する位置。
　【００７３】
塗装区画とは、携帯端末の二次元コード認識率向上のために、二次元コードを印字する位置を含めた区画を、予め黒色に塗装した区画を言う。塗装区画と印字区画の中心点は同じである。塗装する色は黒色に限定しない、レーザマーカで印字した時に明暗差が大きく表現され、携帯端末が二次元コードとし認識し、読み取れれば他の色でも構わない。概して濃い色はこの目的に適う。
　【００７４】
図１３−２は確定した塗装区画に塗装し、二次元コードを印字したことを示す。印字後、請求項２記載のシール７０を板金素材面全面又は適所に部分的に貼ってから、後段の切り出し工程に進めてもよい。
　【００７５】
図１３−３は印字した二次元コードの位置を基準にして、第１成形型部と第２成形型部を輪郭帯で切り出し加工したことを示す。この時点では板金素材は平板である。リベット穴、半月穴、指穴は貫通している。
　【００７６】
図１３−４は第１成形型部と第２成形型部を平板の下の位置まで押し下げてから、第１成形型部を成形し、第２成形型部を第１成形型部の下に折り曲げた図である。第２成形型部の一部（印字場境界線）が半月穴２１に被って見え、適正に密接している事が解る。
　【００７７】
図１３−５は第１成形型部と第２成形型部が密接し押圧されて一体となり、第２成形型部の左右両端部が，第１成形型部の両端を包み、かしめた図である。これで所期のプルタブは完成した。後は取り付けを待つ。」
　オ　段落【００８２】
「図２では二次元コードがプルタブと固定され若しくは一体成形されているために、二次元コードは１００％露出しておらず、缶飲料の購入者は購入時点で二次元コードを見ることはない。若しくはその一部が見えたとしても携帯電話等を用いて読取ることは不可能である。」
　カ　段落【００８３】
「図２において、プルタブ下に指を入れて引起す動作を開始すれば、引き上げ角度が約１５度程度でスコア線に沿って缶蓋９に裂断が始まり、同時に「プシュー」又は「カパーッ」などの音響を発する。容器は非可逆的形状の変化を起し、それに伴って内容物が溢出する。」
　キ　段落【００８４】〜【００８６】
「購入者は引き上げ角度１５度前後、内容物が溢出する時点でもまだ二次元コードを目にすることは無い。
　飲むことが出来る角度（引き上げ角度３０度前後）まで引き上げれば、飲み、飲みきるのが人間の行動原理に適っている。
　この角度では、まだ携帯端末で読み取ることは出来ない。」
　ク　段落【００８７】〜【００８９】
「二次元コードが読み取りやすい角度（引き上げ角度１１０度前後）までプルタブを引き上げたままで飲む人はいない。プルタブが上唇にあたって不快である。
　故に、本発明の二次元コードのついた缶飲料は、開缶後でなければ読み取れず、飲用後でなければ読み取らない事が解る。
　こうしてみれば、本発明のプルタブを取り付けた缶の特徴「開缶が先、読み取るのは後」ということが理解される。」
　ケ　段落【０２４９】
「・・・
７）二次元コードの表示サイズが大きすぎても、小さすぎても、携帯端末の読み取り能力が対応しきれない。
８）撮影モードで「遠近」の切り替えが出来ないと、二次元コードの表示サイズが大きすぎても、小さすぎても、画像として適切な読み取り画像サイズに収まらず、焦点合わせが出来ず、携帯端末が二次元コードとして解析できない。これら二次元コードの特徴を踏まえて、印字する必要がある。」
　コ　段落【０２８２】
「二次元コードを高速で印字する場合に何が課題か。
１）二次元コードを小さくすることが望ましい。
２）同一サイズならば、二次元コードの印字密度を上げないことが望ましい。」
　サ　段落【０３５０】〜【０３５２】
「第三次印字テストについて。
印字条件は、黒塗装の板金素材（以後黒生地と呼ぶ）と、印字サイズを６Ｘ６ＭＭ（Ｂ−６と呼ぶ）、７Ｘ７ＭＭ（Ｂ−７と呼ぶ）、８Ｘ８ＭＭ（Ｂ−８と呼ぶ）、９Ｘ９ＭＭ（Ｂ−９と呼ぶ）、１０Ｘ１０ＭＭ（Ｂ−１０と呼ぶ）、の５つに区分した。
エンコードされるデータ量は、６０桁と８０桁と、更に少ないものを準備した。」
　シ　段落【０３５５】〜【０３５６】
「一番知りたい情報は、「携帯端末で読み取れて、且つ、印字速度の速い条件は何か。」
　結論は、ＹＶＯ４レーザマーカを使用し、黒塗装生地の板金素材に、帯状の白地（以後区画帯と呼ぶ）があり、データ量が少ないものが、印字速度が速くほぼ１個につき約０．６秒平均で印字され、携帯端末での読み取り率もよく、実用に提供できる、と結論付けることが出来た。」
　ス　段落【０３５７】〜【０３６２】
「推奨できる二次元コードについて。
　二次元コードの印字サイズは６〜１０ｍｍ角でよい。
　６〜１０ｍｍ角の二次元コードを印字した場合印字速度が速く、マーカの生産性が一番高い。
　６〜１０ｍｍ角で印字するのが、印字場１に印字するコストが一番安い。
　プルタブの幅（短い方の辺）は１２ｍｍ前後あり、本発明の印字場１を十分収納する位置が確保できる。
　６〜１０ｍｍ角なら、平滑な歪のない平面スペースを印字場１に確保でき、４種類の印字場１の取り付け方法も支障なく選択して実施できる。」
　セ　図面の簡単な説明、段落【０４３７】
（ア）【図１】
「【図１】は開口部が開口され、缶蓋上面と対向した位置のプルタブ裏の印字場に二次元コードは印字されており、携帯端末に読み取りやすい角度までプルタブが引起されていることを示す斜視図である。プルタブと固定され若しくは一体成形されている印字場に印字された二次元コードは図１のようにしか開示できない。」
（イ）【図２】
「【図２】は図１のように開缶される前の缶蓋の平面図である。水平面でプルタブをリベットを旋回の中心にして、左右９０度以上旋回させて、開缶しようとしてもプルタブがスコア線に正しく作用しないことが示唆される。」
（ウ）【図３】
「【図３】はプルタブを開口部の上１８０度まで折り返した図である。プルタブと印字場が固定され若しくは一体成形されている事を示している。」
（エ）【図４−Ａ】
「【図４−Ａ】は実施例１で記述する図５−Ａに基づいて製作した本発明の基本的なプルタブの完成品の表（おもて）面の平面図である。」
（オ）【図４−Ｂ】
「【図４−Ｂ】は図４−Ａの裏（うら）面の平面図である。印字場境界線１２はリベットの取り付け作業に支障ない位置に印字場１があることを示す。」
（カ）【図５−Ａ】
「【図５−Ａ】は、実施例１で記述する本発明の基本図である。第１成形型部と第２成形型部の関係、印字場と二次元コードの印字される関係、板金素材から第１成形型部と第２成形型部が切り出されても板金素材本体とは接続されている関係、印字場のかしめ端部がプルタブより幅が広いことの関係などを表している。」
（キ）【図５−Ｃ】
「【図５−Ｃ】は、第１成形型部の下に第２成形型部を折り返し、印字場とプルタブ本体が背中合わせに密接していることを示す図５−ＡのＥ−Ｅ断面図を示す。」
（ク）【図１３−１】
「【図１３−１】は板金素材上での工程を簡略に説明するために単品製造工程として表示したものである。板金素材上に印字区画を計算し、塗装区画が確定したことを示す。」
（ケ）【図１３−２】
「【図１３−２】は確定した塗装区画に、塗装を行い、塗装面上に二次元コードを印字したことを示す。」
（コ）【図１３−３】
「【図１３−３】は印字した二次元コードの位置を基準にして、第１成形型部と第２成形型部を輪郭帯で切り出し加工したことを示す。これで図５−Ａが出来上がった。この時点では板金素材は平板である。」
（サ）【図１３−４】
「【図１３−４】は第２成形型部を第１成形型部の下に折り曲げた加工した図である。第２成形型部の一部の端部は半月穴２１に被って見える。」
（シ）【図１３−５】
「【図１３−５】は第２成形型部の両端部を，第１成形型部の両端を包んでかしめめた図である。」
　ソ　図面
（ア）【図１】
「
」
（イ）【図２】
「
」
（ウ）【図３】
「
」
（エ）【図４−Ａ】
「
」
（オ）【図４−Ｂ】
「
」
（カ）【図５−Ａ】
「
」
（キ）【図５−Ｃ】
「
」
（ク）【図１３−１】
「
」
（ケ）【図１３−２】
「
」
（コ）【図１３−３】
「
」
（サ）【図１３−４】
「
」
（シ）【図１３−５】
「
」
（２）引用文献２には、次の記載がある。
　ア　段落【０００５】
「本発明に係われば、コンテナー端部で使用するための新規な形態を有するプルタブコンテナー開封装置が提供される。従来のプルタブは、鼻部と指を受けるためのリング形状の摘み部とがタブの装着ポイントの所でコンテナーに取着されている開封タブデザインである。そして、このタブは、２つのリングを形成するように打ち抜かれ、かつタブの下にカールされた端部を有するシート材の片により形成されている。この従来のデザインは、タブの重量を最初にし、また、最大の強度となるように意図されている。」
　イ　段落【０００６】
「・・・本発明のタブは、カールされたエッジを有してもカールされないエッジを有しても良い。」
（３）引用文献３には、次の記載がある。
　ア　発明の名称
「レバータブつきイージーオープン缶蓋とレバータブの成形法」
　イ　第２頁右欄８〜１０行
「一般にタブの剛性は肉厚のアルミニウムタブ材料を使用し、材料の端縁をカールさせてタブのリム部を形成することによって高くする。」
　ウ　第４頁右欄４２行〜第５頁左欄１行
「タブのブランクは、個々に次のプレス台に供給され、ここでブランクの端縁部を折り曲げ加工してタブのリム部を形成する。」
　エ　第５頁右欄９〜１１行
「第１図は本発明の実施態様を示す缶蓋の平面図を示す。第２図は第１図の線２−２に沿って切断した部分破断拡大断面図である。」
　オ　第１図
「
」
　カ　第２図
「
」
（４）引用文献４には、次の記載がある。
　第４頁左欄１１〜１５行
「このタブは、０．４７ｍｍ（０．０１８５インチ）のタブ材料から成形され、カールした縁部を持っている。このように形成されたタブは十分に強くて、タブを変形させることなく注ぎ開けることができる。」
（５）引用文献５には、次の記載がある。
　第２頁右欄２０〜２２行
「タブ１４の全周縁部は従来タブと同様にカールされていて開口操作中にタブの周縁部が屈曲しない構成であり、・・・」
（６）引用文献６には、次の記載がある。
　ア　【請求項１】
「測定機器に関する情報を二次元コード化し、この二次元コードを前記測定機器の本体表面に表示することを特徴とする測定機器の情報管理方法。」
　イ　明細書の段落【００１２】
「【発明の実施の形態】
　以下、本発明を用いた好適な実施の形態について図面を用いて説明する。なお、全図中において同一符号を付したものは同一構成要素を表わしている。
　図１に本発明に係るダイヤルゲージ１を示す。ダイヤルゲージの文字板２上に業界で標準的に使われているＱＲコードと呼ばれる二次元コード３を表示する。この二次元コードの大きさは３ｍｍ角程度の大きさで白黒のパターンで描画される。この二次元コード（ＱＲコード）の拡大図を図２に示す。」
（７）引用文献７には、次の記載がある。
　ア　段落【０００１】
「本発明は表面に情報コードが刻印された積層材料及び情報コードの観察方法、特に透明材料層に情報コードを形成した場合の情報読み取り性能の改良に関する。」
　イ　段落【００３４】
「コードの書き込みはレーザーマーキング法によって行った。上記の透明材料層の表面にＣＯ２レーザーマーカー（ＬＳＳ−Ｓ０５０ＶＡＨ　（株）堀内電機製作所製）によってレーザーを照射し、半径約１００μｍ、深さ約５０μｍの凹部を形成し、凹凸コードを印字した。凹凸コードは、マトリックス方式（英数字３０文字を４．０ｍｍ角で書きこみ）の二次元コードを用いた。」
（８）引用文献８には、次の記載がある。
　ア　段落【００３１】
「・・・情報コードが２次元コードなどのようにコードの大きさをできるだけ小さくすることおよびその中でさらに情報量を増やすためにセルサイズが小さくなり、かつ、複雑化している。情報コード読み取り機能付き携帯電話などで撮影した際に、カメラのＣＣＤの画素数、焦点などに起因する撮影機器の分解能、また撮影条件などにより分解能が甘くなり、情報コードのバー画像やセル画像を映像情報として明白に確認できないおそれがある。「商品情報コード印刷インキ」を用いるバーやセルのサイズの印刷はできるだけ大きいほうが誤認あるいは確認不能といったミスが少なくなり、また撮影に際して焦点を合わせ易く、使用に便利である。ＱＲコードのセルサイズの大きさ、およびバーコードのバー、マージンの線の太さ、中でも特に基準になる最も細い線の太さについて、大きさを変えて、情報コード読み取り機能付き携帯電話での認識性を調べた。」
　イ　段落【００３３】
「
」
（９）引用文献９
　引用文献９には、次の記載がある。当審訳を併記する。
　ア　明細書第２欄５９行〜第３欄７行
「Referring again to FIG. 1, the closure 10 further comprises an opening tab 24. The opening tab 24 is attached to the wall 12 by a fastening means which preferably comprises a rivet 26 extending through a portion of the opening tab 24. The rivet 26 is preferably a cylindrical hollow rivet defined by the wall 12 and an integral part thereof. The opening tab 24 includes a handle portion 28 and a forward portion 30. The opening tab 24 is adapted to pivot about a fulcrum at rivet 26 such that when the handle portion 28 is lifted, the forward portion 30 is depressed, thereby depressing the pour opening panel 16 into the interior of the container about the hinge region 22 (FIG. 3). To facilitate the lifting of the handle portion 28 with the fingers, the wall 12 preferably includes a depression 32 in the vicinity of the handle portion 28 so as to permit entry of either the fingers or an object thereunder.」
「再び図１を参照すると、端部閉鎖部材１０は、開口タブ２４を含む。開口タブ２４は、好ましくは開口タブ２４の一部を貫通して伸びるリベット２６を含む固定手段によって壁１２に取り付けられる。リベット２６は、好ましくは中空の円筒状であり、壁１２と他の部品を一体化する。開口タブ２４は、ハンドル部分２８と前方部分３０とを含む。開口タブ２４は、リベット２６を軸として回動可能に取り付けられており、ハンドル部分２８が持ち上げられると前方部分３０が押し下げられ、それによって、注ぎ口パネル１６がヒンジ領域２２の辺りの容器の内部空間に移動することになる。指でハンドル部分２８を持ち上げるのを容易にするために、壁１２は、好ましくは、ハンドル部分２８の近くに指などの進入を可能にするためのくぼみ３２を含む。」
　イ　図１（Ｆｉｇ．１）及び図２（Ｆｉｇ．２）
「
」
　ウ　図４（Ｆｉｇ．４）
「
」
（１０）引用文献１１
　引用文献１１には、次の記載がある。当審訳を併記する。
　ア　請求項１０（Claim10）
「A method for conveying an order signal, said method comprising the steps of: 
 providing a first beverage container including an upper end wall, the upper end Wall including a tear portion; providing a tab pivotally supported by said upper end wall of said first beverage container at a connection point; providing a visual indicia supported by said tab and configured to indicate a request for a second beverage container; pivoting said tab upwardly into a position substantially perpendicular to said upper end wall for contacting said tear portion and providing an opening within said first beverage container; pivoting said tab downwardly into a position substantially parallel to said upper end wall; removing beverage from said first beverage container so that said first beverage container is substantially empty; pivoting said tab upwardly into a position substantially perpendicular to said upper end wall of said first beverage container; and conveying an order signal comprising said request for a second beverage container by pivoting said tab upwardly into said position substantially perpendicular to said upper end wall and thereby displaying said visual indicia.」 
「注文情報を伝達するための方法であって、前記方法は、次のステップを含む。
　切り裂き部分を含む上端部壁を含む第１の飲料容器を供給するステップ、
　前記第１の飲料容器のの前記上端部壁には、タブをその接続点において回動可能に支持させるステップ、
　前記タブによって支持され、第２の飲料容器に対する要求を示すように構成された視覚的なしるしを供給するステップ、
　前記引き裂き部分と接触し、前記第１の飲料容器に開口部を提供するために、前記タブを前記上端部壁に対して実質的に垂直な位置まで情報に回動させるステップ、
　前記タブを前記上端部壁と実質的に平行な位置まで下方に回動させるステップ、
　前記第１の飲料容器が実質的に空になるように前記第１の飲料容器から飲料を取り出すステップ、
　前記タブを前記第１の飲料容器の前記上端部壁に対して実質的に垂直な位置まで情報に回動させるステップ及び
　前記タブを前記上端部壁に実質的に垂直な前記位置に上方に回動させられていることにより、前記視覚的なしるしを表示することによって、第２の飲料容器に対する前記要求を含む注文信号を伝達するステップ。」
　イ　公報第３欄５０〜５４行（行数には、空行を含む）
「FIG. 5 is a perspective view of another illustrative embodiment of an easy opening can container in accordance with the present invention, illustrating the lower surface of the tab pivotally moved into substantially perpendicular disposition with the upper end wall;」
「図５は、本発明による易開封缶容器の別の例示的実施形態の斜視図であり、タブの下面が上端壁と実質的に垂直な配置になるように回動されているのを示している。」
　ウ　公報第６欄２４〜３１行
「Referring further to FIG. 5 , a further illustrative embodiment of the invention is shown wherein the visual indicia 15 resulting from the modification or shaping of the tab 4 is supported on the lower surface 16 of the tab 4. As such, the signal effected by the indicia 15 of tab 4 is only viewable when the tab 4 is placed into substantially perpendicular disposition with the upper end wal 3a of the can container 1.」
「図５を参照すると、本発明の他の実施例が示されており、そこではタブ４の改良または成形から生じる視覚的なしるし１５がタブ４の下面１６上に支持されている。それゆえ、タブ４の視覚的なしるし１５は、タブ４が缶容器１の上端部壁３ａと実質的に垂直な位置にあるときにだけ見ることができる。」
　エ　図５（Ｆｉｇ．５）
「
」
第４　判断
　１　引用発明について
　引用文献１の前記第３、４（１）エに摘記した実施例１には、次の発明（以下「引用発明」という。）が記載されていると認められる。
「缶蓋９が開缶する前の状態と缶の内容物が溢出する状態とを有することができる缶蓋９であって、
　缶蓋９は、開口部７を形成するスコア線を有し、かつプルタブ４を備えており、プルタブ４は、開缶する前の缶蓋と平行な状態から、プルタブ４の下に指を入れて引き起こす動作を開始すれば、引上げ角度が約１５度程度でスコア線に沿って缶蓋に裂断が始まり、その後、プルタブ４は、缶蓋９に対して略垂直に立った状態にすることができ、これにより缶蓋９を開缶することができ、
　プルタブ４の裏に、缶蓋９が開缶した状態にあるときに、携帯端末で読み取ることができるように、６〜１０ｍｍ角の二次元コード２を備える缶蓋９であって、
　プルタブの二次元コードの形成された第２成形型部は、プルタブ本体を形成する第１成形型部の長手方向に延長して形成され、プルタブの下に折り返しされて、二次元コードとプルタブ本体とは、背中合わせに密着している缶蓋９。」
　２　本件発明２６についての検討
（１）対比
　ア　引用発明と本件発明２６とを対比する。
　イ　引用発明における「缶蓋９」、「プルタブ４」、「スコア線」、「携帯端末」は、本件発明２６における「缶エンド」、「プルタブ」、「切り込み線」、「手持ち型無線通信デバイス」にそれぞれ相当する。
　ウ　また、引用発明の「プルタブの二次元コードの形成された第２成形型部は、プルタブ本体を形成する第１成形型部の長手方向に延長して形成され、プルタブの下に折り返しされて、二次元コードとプルタブ本体とは、背中合わせに密着している」構成は、引用文献１の【図５−Ｃ】の断面図からみて、折り返した部分でカールされているから、「プルタブは、縁部がカールされた縁部を含む外周を構成している」ということができる。
（２）一致点・相違点について
　ア　一致点
　そうすると、本件発明２６と引用発明とは、
「（ｉ）缶エンドが密封された未開封の形態と、（ｉｉ）缶エンドを缶体に付加した後に前記缶の中味にアクセスできる開封した形態と、を有することができる缶エンドであって、前記缶エンドは、
　缶エンドシェル及びプルタブであって、前記プルタブは、カールされた縁部を含む外周を構成し、前記プルタブは、前記未開封の形態において前記缶エンドシェルの中央パネルに略平行の向きであり、前記プルタブは、前記プルタブの端部を持ち上げて前記中央パネルの切込み線を破断することによって部分的に垂直な位置に操作することができ、それにより前記開封した形態を達成する、プルタブと、
　缶エンドが開封した形態にあるときに手持ち型無線通信デバイスで読み取ることができ、
　二次元コードと、を備える缶エンド。」
　である点で一致する。
　イ　相違点
　本件発明２６と引用発明とは、次の３点で一応相違する。
（ア）相違点１
　二次元コードの位置に関して、本件発明２６においては「タブの構造本体の下面に配置され」るのに対して、引用発明においては、プルタブの下面の第２成形型部に表示されており、これが構造本体といえるかどうか明らかでない点。
（イ）相違点２
　二次元コードのサイズに関して、本件発明２６では、「５ｍｍ×５ｍｍ以下のサイズ」であるのに対して、引用発明においては、「６〜１０ｍｍ角」である点。
（ウ）相違点３
　プルタブに関して、本件発明２６では、「金属シートよりなるプレス成形品」であるのに対して、引用発明においては、その点が不明である点。
（３）相違点についての判断
　ア　相違点１について
（ア）引用文献１の前記第３、４（１）エ（ケ）の段落【００７７】に「図１３−５は第１成形型部と第２成形型部が密接し押圧されて一体となり、第２成形型部の左右両端部が，第１成形型部の両端を包み、かしめた図である。」と記載されているように、引用発明における第１成形型部と第２成形型部とは、一体となるのであるから、引用発明における二次元コードが表示される第２成形型部も構造本体と呼べるものである。
（イ）したがって、相違点１は実質的な相違点ではない。
　イ　相違点２について
（ア）二次元コードのサイズを変更しようとすることは、当業者（その発明の属する技術の分野における通常の知識を有する者）が容易に行い得ることにすぎない。
（イ）引用発明に対して、引用文献６に記載の３ｍｍ角程度の二次元コード及び引用文献７に記載の４ｍｍ角の二次元コードを利用することが困難であるということはできない。
（ウ）引用文献１に接した当業者は、「６〜１０ｍｍ角」という二次元コードのサイズは、前記３（１）コ〜スに摘記した引用文献１の発明者による実験を前提として定められていることが読み取れる。すなわち、引用文献１において用いられた引用文献１の発明者が所有する携帯電話の性能等の条件に依存しており、その条件を変更すれば、最適な二次元コードのサイズは当然に変化することは認識できる。引用文献１の「６〜１０ｍｍ角」を変更しようとすることに阻害要因があるということはできない。
（エ）相違点２は、引用文献６、７に記載された事項に基いて容易に想到し得ることである。
　ウ　相違点３について
（ア）「金属シートよりなるプレス成形品」について
　前記第２、２（１）ウにおいて検討したように、「金属シートよりなるプレス成形品」とは、金属シートをプレス成形手段により成形された成形品であると解される。（一般にプレス成形には、打ち抜き加工、曲げ加工、絞り加工、これらの組み合わせが含まれるところ、前記打ち抜き加工は、プレス機械を用いて型抜きし、金属板から所定の形状を切り出す加工を意味する。）
（イ）前記３（１）エ（ク）に摘記した「板金素材から第１成形型部と第２成形型部が切り出されても板金素材本体とは輪郭帯渡り部で接続されている」という記載事項から、板金素材が「金属シート」に相当し、「切り出される」が「プレス成形」に相当する。
（ウ）そうすると、引用発明におけるタブも、前記（ア）で解釈したように、板金素材よりなるプレス成形手段により成形された成形品であるといえるから、相違点３は実質的な相違点ではない。
　エ　作用効果の相違について
（ア）前記ア〜ウより、相違点１及び３は、実質的な相違点でないから、本件発明２６と引用発明との作用効果上の相違は、相違点２に基づくものである。
（イ）二次元コードのサイズを、引用発明の「６〜１０ｍｍ角」から、本件発明２６の「５ｍｍ×５ｍｍ以下」に変更することによって、予測できない作用効果上の差異が生ずるということはできない。
　オ　小括
　前記ア〜ウより、相違点１及び３は、実質的な相違点でなく、相違点２については、引用文献６、７に記載された事項から当業者が容易に想到し得ることである。そして、前記エより、予測できない作用効果上の相違が生ずるといえないから、本件発明２６は、引用発明及び引用文献６、７に記載された事項に基いて当業者が容易に発明をすることができた発明である。
（４）予備的検討
　ア　前記（１）〜（３）での検討は、本件発明２６における「カールされた縁部を含む外周を構成」という発明特定事項が、縁部の一部でもカールされている場合も包含すると解して、引用発明との一致点としたが、縁部の全部がカールされている場合であると解すると、以下の相違点が存在することになる。
　イ　相違点４
　タブの外周に関して、本件発明２６においては、外周がカールされているのに対して、引用発明においては、外周の一部のみがカールされている点。
　ウ　検討
　前記第３、４（３）〜（５）に摘記した引用文献３〜５には、タブ外周の全部をカールさせることが記載されており、上記相違点３は、本件優先日前にタブにおける周知技術であったと認められる。したがって、仮に相違点４が存在しても、本件発明２６は、引用発明、引用文献６、７に記載された事項及び周知技術に基いて当業者が容易に発明をすることができたものである。
　３　本件発明２７、２８に対して
　本件発明２７、２８における二次元コードのサイズは、引用文献６、７に記載されており、本件発明２６と同じ理由により、特許法第２９条第２項の規定により特許を受けることができない発明である。
　４　本件発明２９についての検討
　本件発明２９における二次元コードのサイズは、引用文献７に記載されており、本件発明２６と同じ理由により、特許法第２９条第２項の規定により特許を受けることができない発明である。
　５　本件発明３０、３４についての検討
　二次元コードは、マトリクスバーコードであることは、技術常識である。
　何行何列にモジュールを構成するかは、当業者が適宜定め得ることであるから、１４×１４のモジュールとすることも当業者が適宜選択可能である。
　６　本件発明３２についての検討
　引用発明における第２成形型部が、第１成形型部と一体化することは、前記第４、２（３）アにおいて検討したとおりであるから、引用発明におけるタブは、構造本体及びヒンジ部からなっているといえ、新たな相違点を生じないから、本件発明３２は、本件発明２６と同じ理由により、特許法第２９条第２項の規定により特許を受けることができない発明である。
　７　本件発明３３についての検討
　引用発明においても、第１成形型部と第２成形型部が一体化した構造本体の下面は覆われていないから、本件発明３３は、本件発明２６と同じ理由により、特許法第２９条第２項の規定により特許を受けることができない発明である。
　８　本件発明３１についての検討
（１）本件発明３１と引用発明を対比する。
（２）一致点・相違点
　ア　一致点
　上記２（１）と同様に、本件発明３１と引用発明とは次の点で一致する。
「（ｉ）缶エンドが密封された未開封の形態と、（ｉｉ）缶エンドを缶体に付加した後に前記缶の中味にアクセスできる開封した形態と、を有することができる缶エンドであって、前記缶エンドは、
　缶エンドシェル及びプルタブであって、前記プルタブは、カールされた縁部を含む外周を構成し、前記プルタブは、前記未開封の形態において前記缶エンドシェルの中央パネルに略平行の向きであり、前記プルタブは、前記プルタブの端部を持ち上げて前記中央パネルの切込み線を破断することによって部分的に垂直な位置に操作することができ、それにより前記開封した形態を達成する、プルタブと、
　缶エンドが開封した形態にあるときに手持ち型無線通信デバイスで読み取ることができ、
　二次元コードと、を備える缶エンド。」
　イ　相違点
　本件発明３１と引用発明とは次の３点で一応相違する。
（ア）相違点３１−１
　二次元コードの位置に関して、本件発明３１においては前記プルタブは、「前記未開封の状態において下面が下方に向かって突出し、かつ上面が下方に向かって凹むように突出する突部」（以下「本件突部」という。）を含み、そして二次元コードは「タブの構造本体の下面において前記突部上に配置され」るのに対して、引用発明においては、プルタブの下面の第２成形型部に表示されている点。
（イ）相違点３１−２
　二次元コードのサイズに関して、本件発明３１では、「５ｍｍ×５ｍｍ以下のサイズ」であるのに対して、引用発明においては、「６〜１０ｍｍ角」である点。
（ウ）相違点３１−３
　プルタブに関して、本件発明３１では、「金属シートよりなるプレス成形品」であるのに対して、引用発明においては、その点が不明である点。
（３）相違点についての判断
　ア　相違点３１−３について
　前記相違点３１−３は、前記２（２）イ（ウ）における本件発明２６との相違点３と同じである。そして、前記２（３）ウと同様に相違点３１−３は実質的な相違点ではない。
　イ　相違点３１−１及び相違点３１−２について
（ア）相違点３１−１に係る本件発明３１の構成、すなわち本件突部を設けることは、前記第２、２（５）エ（イ）ｃで指摘したとおり特許権者も認識している「ＤＲＴエンド」及び「Ｓｔｏｌｌエンド」が備える構成であったと認められる。また、引用文献９及び１１にも記載されている。
（イ）前記３（１０）ウ〜エに摘記したように引用文献１１には、本件突部に視覚的なしるしを設けることも記載されている。
（ウ）しかしながら、引用発明は、６〜１０ｍｍ×６〜１０ｍｍ各の二次元コードを表示する場所を確保するために、第２成形型部を設ける構成であるから、二次元コードを表示する場所を確保できるとは限らない本件突部の下面について、二次元コードの表示場所として使用すべく、５ｍｍ×５ｍｍ以下の二次元コードに限って設けるようにすることには、動機づけがなく、当業者であっても容易に想到し得ることとはいえない。
　ウ　小括
　以上から、本件発明３１は、引用発明及び引用文献９、１１に記載された事項に基いて当業者が容易に発明をすることができた発明ということはできない。また、他に進歩性を欠くという証拠も見当たらない。
第５　むすび
　以上のとおり、本件発明２６〜３０、３２〜３４は、引用発明及び引用文献５、６に記載された事項に基いて当業者が容易に発明をすることができたものである。そうすると、本件発明２６〜３０、３２〜３４に係る特許は、特許法第２９条第２項の規定に違反してされたものである。したがって、本件発明２６〜３０、３２〜３４に係る特許は、特許法第１１３条第２号に該当し、取り消されるべきものである。
　また、本件発明３１に係る特許は、取消理由通知（決定の予告）及び特許異議申立書に記載した特許異議申立理由によっては取り消すことはできない。さらに、他に本件発明３１に係る特許を取り消すべき理由を発見しない。
　よって、結論のとおり決定する。
【異議決定日】
令和１年９月１１日（２０１９．９．１１）
【訂正の要旨】
審決（決定）の【理由】欄参照。
（５７）【特許請求の範囲】
　【請求項１】
　（ｉ）缶エンドが密封された未開封の形態と、（ｉｉ）缶エンドを缶体に付加した後に前記缶の中味にアクセスできる開封した形態と、を有することができる缶エンドであって、前記缶エンドは、
　缶エンドシェル及びプルタブであって、前記プルタブは、前記未開封の形態において前記缶エンドシェルの中央パネルに略平行の向きであり、前記プルタブは、前記プルタブの端部を持ち上げて前記中央パネルの切込み線を破断することによって部分的に垂直な位置に操作することができ、それにより前記開封した形態を達成する、プルタブと、
　前記缶エンドシェルの中央パネル上に配置された複数のイメージを備え、
　前記イメージの各々は機械読取可能であり、前記複数のイメージは前記中央パネルに配置され、前記未開封の形態の前記プルタブは前記プルタブの回転位置に関係なく前記イメージの各々の一部を隠すようになっており、前記缶が未開封の形態にある場合には、前記複数のイメージの何れも読み取ることができず、それによって、前記タブが部分的に垂直な位置に操作された状態で、前記イメージの少なくとも１つが完全に露出して、損傷を受けていない状態であり、手持ち式無線通信デバイスで読み取ることができる、
　ことを特徴とする缶エンド。
　【請求項２】
　前記イメージは、インクジェット印刷によって形成される、請求項１に記載の缶エンド。
　【請求項３】
　前記イメージは、レーザーエッチングによって形成される、請求項１に記載の缶エンド。
　【請求項４】
　前記缶エンドシェルの各々は、金属及びコーティングを備え、前記コーティングはラッカー及び光活性成分を含み、前記イメージは、実質的にラッカーを燃焼、エッチング、又は除去することなく、少なくとも前記光活性成分の一部の外観を変化させるレーザーの使用によって形成される、請求項１に記載の缶エンド。
　【請求項５】
　前記金属は、アルミニウムである、請求項１に記載の缶エンド。
　【請求項６】
　前記缶エンドは、飲料缶エンドである、請求項１に記載の缶エンド。
　【請求項７】
　前記金属は、スチールである、請求項１に記載の缶エンド。
　【請求項８】
　前記各イメージは、ＱＲコード（登録商標）である、請求項１に記載の缶エンド。
　【請求項９】
　前記イメージは、前記タブを前記中央パネルに結合するリベットの周りに配置される、請求項１に記載の缶エンド。
　【請求項１０】
　前記タブの上面又は下面の何れか一方に機械読取コードをさらに備える、請求項１に記載の缶エンド。
　【請求項１１】
　缶エンド上に情報を提供する方法であって、
　缶エンドシェル、プルタブ、及び前記缶エンドシェルの中央パネル上に配置された複数のイメージを有する金属缶エンドを準備する段階であって、前記イメージの各々は機械読取可能であり、前記複数のイメージは前記中央パネルに配置され、前記プルタブは前記プルタブの回転位置に関係なく前記イメージの各々の一部を隠して、前記複数のイメージの何れも読み取ることができないようになっている段階と、
　前記プルタブの端部を部分的に垂直になるまで持ち上げて、前記中央パネルの切込み線を破断して、それによって、部分的に垂直な位置において前記イメージの少なくとも１つが完全に露出され、損傷を受けていない状態にあり、手持ち式無線通信デバイスで読み取ることができるようになっている段階と、を含む、
　ことを特徴とする方法。
　【請求項１２】
　前記タブが部分的に垂直な位置にある間に、前記イメージを機械で読み取る段階をさらに含む、請求項１１に記載の方法。
　【請求項１３】
　前記イメージは、インクジェット印刷によって形成される、請求項１１に記載の方法。
　【請求項１４】
　前記イメージは、レーザーエッチングによって形成される、請求項１１に記載の方法。
　【請求項１５】
　前記缶エンドシェルの各々は金属及びコーティングを備え、前記コーティングはラッカー及び光活性成分を含み、前記イメージは、実質的にラッカーを燃焼、エッチング、又は除去することなく、少なくとも前記光活性成分の一部の外観を変化させるレーザーの使用によって形成される、請求項１１に記載の方法。
　【請求項１６】
　前記金属は、アルミニウムである、請求項１１に記載の方法。
　【請求項１７】
　前記缶エンドは、飲料缶エンドである、請求項１１に記載の方法。
　【請求項１８】
　前記金属は、スチールである、請求項１１に記載の方法。
　【請求項１９】
　前記各イメージは、二次元バーコードである、請求項１１に記載の方法。
　【請求項２０】
　前記イメージは、前記タブを前記中央パネルに結合するリベットの周りに配置される、請求項１１に記載の方法。
　【請求項２１】
　前記イメージは、前記タブを前記中央パネルに取り付けるリベットの周りに等距離で離間される、請求項１１に記載の方法。
　【請求項２２】
　前記複数のイメージは、４つのイメージである、請求項２１に記載の方法。
　【請求項２３】
　前記複数のイメージは、３つのイメージである、請求項２１に記載の方法。
　【請求項２４】
　前記タブの上面又は下面の何れか一方に機械読取コードをさらに備える、請求項１１に記載の方法。
　【請求項２５】
　前記タブの下面に、前記タブの操作時にのみ読むことができる機械読取コードをさらに備える、請求項１１に記載の方法。
　【請求項２６】
　（ｉ）缶エンドが密封された未開封の形態と、（ｉｉ）缶エンドを缶体に付加した後に前記缶の中味にアクセスできる開封した形態と、を有することができる缶エンドであって、前記缶エンドは、
　缶エンドシェル及びプルタブであって、前記プルタブは、カールされた縁部を含む外周を構成し、
前記プルタブは、金属シートよりなるプレス成形品であり、
　前記タブの
構造本体の
５ｍｍ×５ｍｍ
　ことを特徴とする缶エンド。
　【請求項２７】
　前記コードのサイズは、少なくとも２ｍｍ×２ｍｍである、請求項２６に記載の缶エンド。
　【請求項２８】
　前記コードのサイズは、少なくとも３ｍｍ×３ｍｍである、請求項２６に記載の缶エンド。
　【請求項２９】
　前記コードのサイズは、少なくとも４ｍｍ×４ｍｍであ
る、
　【請求項３０】
　前記コードは、１４×１４のモジュールを有するマトリクスバーコードである、請求項２６に記載の缶エンド。
　【請求項３１】
　
（ｉ）缶エンドが密封された未開封の形態と、（ｉｉ）缶エンドを缶体に付加した後に前記缶の中味にアクセスできる開封した形態と、を有することができる缶エンドであって、前記缶エンドは、
　缶エンドシェル及びプルタブであって、前記プルタブは、カールされた縁部を含む外周を構成し、前記プルタブは、前記未開封の形態において下面が下方に向かって突出し、かつ、上面が下方に向かって凹むように突出する突部を含む、金属シートからなるプレス成形品であり、前記プルタブは、前記未開封の形態において前記缶エンドシェルの中央パネルに略平行の向きであり、前記プルタブは、前記プルタブの端部を持ち上げて前記中央パネルの切込み線を破断することによって部分的に垂直な位置に操作することができ、それにより前記開封した形態を達成する、プルタブと、
　前記タブの構造本体
の下面において前記突部上に
、缶エンドが開封した形態にあるときに手持ち型無線通信デバイスで読み取ることができ、５ｍｍ×５ｍｍ以下のサイズの二次元コードと、を備える、
　ことを特徴とする
　【請求項３２】
　前記コードは、構造本体、及び、前記
中央
　【請求項３３】
　前記タブの構造本体の下面は、覆われておらず、それによって、缶エンドが開封した形態にあるときに、前記タブの構造本体の下面に配置された二次元コートが読取可能になる、請求項２６に記載の缶エンド。
　【請求項３４】
　前記コードは、マトリクスバーコード及びＱＲコード（登録商標）のいずれか一方である、請求項２６に記載の缶エンド。